(57)【要約】【課題】デジタルカメラのコストアップを招くことなく、組立工程でコイン型２次電池が装着されていないことを容易に把握することができる仕組みを提供する。【解決手段】デジタルカメラは、弾性腕部１７ｈを有するベース部材１７と、ベース部材１７に組み付けられ、電池１５が着脱可能に装着されるソケット１６及びコネクタ１４が実装されたストロボ回路基板１１と、を備える。弾性腕部１７ｈには、ソケット１６に電池１５が装着されていない状態で、ソケット１６の電池収納空間１６ａに配置されるボス１７ｇと、コネクタ１４の接続口１４ａを覆う位置に配置される壁部１７ｆとが設けられる。壁部１７ｆは、ソケット１６に電池１５が装着された状態では、ボス１７ｇが電池１５に押されて弾性腕部１７ｈが撓むことにより、コネクタ１４の接続口１４ａを覆う位置から退避する。【選択図】図６
2013130624.tif 000002
【特許請求の範囲】
【請求項１】
ベース部材と、前記ベース部材に組み付けられ、電池が着脱可能に装着される電池装着部及びコネクタが実装された基板と、を備える電子機器であって、
前記ベース部材は、弾性変形可能な弾性腕部を有し、
前記弾性腕部には、前記電池装着部に前記電池が装着されていない状態で、前記電池装着部の電池の収納空間に配置される当接部と、前記コネクタの接続口を覆う位置に配置される壁部とが設けられ、
前記壁部は、前記電池装着部に前記電池が装着された状態では、前記当接部が前記電池に押されて前記弾性腕部が撓むことにより、前記コネクタの接続口を覆う位置から退避することを特徴とする電子機器。
【請求項２】
前記ベース部材と前記ベース部材に組み付けられた前記基板との間に、前記電池装着部及び前記コネクタが挟まれるように配置されることを特徴とする請求項１に記載の電子機器。
【請求項３】
ベース部材と、前記ベース部材に組み付けられ、電池が着脱可能に装着される電池装着部が実装された基板と、前記基板が組み付けられた前記ベース部材に組み付けられる組付部材と、を備える電子機器であって、
前記ベース部材は、弾性変形可能な弾性腕部を有し、
前記弾性腕部には、前記電池装着部に前記電池が装着されていない状態で、前記電池装着部の電池の収納空間に配置されて、前記ベース部材に組み付けられる前記組付部材に干渉する当接壁部が設けられ、
前記当接壁部は、前記電池装着部に前記電池が装着された状態で、前記電池に当接するとともに、押されて前記弾性腕部が撓むことにより、前記ベース部材に組み付けられる前記組付部材に干渉する位置から退避することを特徴とする電子機器。
【請求項４】
ベース部材と、前記ベース部材にビスにより固定され、電池が着脱可能に装着される電池装着部が実装された基板と、を備える電子機器であって、
前記ベース部材は、弾性変形可能な弾性腕部を有し、
前記弾性腕部には、前記電池装着部に前記電池が装着されていない状態で、前記電池装着部の電池の収納空間に配置される当接部と、前記ビスが締め付けられる前記ベース部材のねじ穴を覆う壁部とが設けられ、
前記壁部は、前記電池装着部に前記電池が装着された状態では、前記当接部が前記電池に押されて前記弾性腕部が撓むことにより、前記ベース部材の前記ねじ穴を覆う位置から退避することを特徴とする電子機器。
【請求項５】
ベース部材と、前記ベース部材に組み付けられ、電池が着脱可能に装着される電池装着部及びコネクタが実装された基板と、を備える電子機器であって、
前記ベース部材は、弾性変形可能な弾性腕部を有し、
前記弾性腕部には、前記電池装着部に前記電池が装着されていない状態で、前記電池装着部の電池の収納空間に配置される当接部と、前記ベース部材に組み付けられる外装カバーに干渉する位置に配置される突起とが設けられ、
前記突起は、前記電池装着部に前記電池が装着された状態では、前記当接部が前記電池に押されて前記弾性腕部が撓むことにより、前記外装カバーに干渉する位置から退避することを特徴とする電子機器。
【請求項６】
前記ベース部材と前記ベース部材に組み付けられた前記基板との間に、前記電池装着部が挟まれるように配置されることを特徴とする請求項４または５に記載の電子機器。
【請求項７】
前記電池がコイン型２次電池であることを特徴とする請求項１乃至６のいずれか一項に記載の電子機器。
【発明の詳細な説明】
【技術分野】
【０００１】
本発明は、例えばデジタルカメラ等の電子機器に関する。
【背景技術】
【０００２】
デジタルカメラ等の電子機器では、回路基板に、機器本体の組立時にコイン型２次電池を装着するためのソケットが実装されたものがある。
【０００３】
ところで、近年のデジタルカメラ等の電子機器では、コストダウンの要請から、部品点数を削減することが求められ、また、機器の小型化によりコイン型２次電池の配置スペースが不足している。このため、機器本体において、コイン型２次電池の有無を容易に確認できる位置にコイン型２次電池を装着することができないことが多くなってきている。
【０００４】
また、データ保持用のメモリを有する回路基板には、電源安定用のバックアップ用コンデンサが配置されることが多く、組立工程ではコイン型２次電池が装着されていなくても数分間はデータが保持される。このため、コイン型２次電池を装着していない状態で機器本体の組立調整の工程が進んでも、コイン型２次電池が装着されていないことに気づき難い状況になっている。
【０００５】
したがって、作業者が完成状態まで機器本体を組み立てた後、主電源を外してコンデンサに残された電荷を全て消費してからのチェックでコイン型２次電池が装着されていないことに気づいた場合、組み立てられた機器を分解しなければならない事があった。
【０００６】
そこで、従来においては、電気回路によるチェッカでコイン型２次電池の有無を検出するチェックパッドを回路基板上に設けたものが提案されている。また、機構的に部品や形状の有無を検出する技術として、カセットテープの誤消去防止用爪の有無を検出する機構が提案されている（特許文献１）。
【先行技術文献】
【特許文献】
【０００７】
【特許文献１】特開平７−７８３９１号公報
【発明の概要】
【発明が解決しようとする課題】
【０００８】
しかし、電気回路によるチェッカでコイン型２次電池の有無を検出するチェックパッドを回路基板上に設ける場合、チェックパッドが必要になることや、チェック工程が加わることで、機器の低コスト化を妨げる原因になる。また、上記特許文献１も同様に、カセットテープの誤消去防止用爪の有無を検出する検出用部材が必要になり、コストアップとなってしまう。
【０００９】
そこで、本発明は、電子機器のコストアップを招くことなく、組立工程で電池が装着されていないことを容易に把握することができる仕組みを提供することを目的とする。
【課題を解決するための手段】
【００１０】
上記目的を達成するために、本発明は、ベース部材と、前記ベース部材に組み付けられ、電池が着脱可能に装着される電池装着部及びコネクタが実装された基板と、を備える電子機器であって、前記ベース部材は、弾性変形可能な弾性腕部を有し、前記弾性腕部には、前記電池装着部に前記電池が装着されていない状態で、前記電池装着部の電池の収納空間に配置される当接部と、前記コネクタの接続口を覆う位置に配置される壁部とが設けられ、前記壁部は、前記電池装着部に前記電池が装着された状態では、前記当接部が前記電池に押されて前記弾性腕部が撓むことにより、前記コネクタの接続口を覆う位置から退避することを特徴とする。
【発明の効果】
【００１１】
本発明によれば、電子機器のコストアップを招くことなく、組立工程で電池が装着されていないことを容易に把握することができる。
【図面の簡単な説明】
【００１２】
【図１】（ａ）は本発明の電子機器の第１の実施形態であるデジタルカメラの外観斜視図、（ｂ）は（ａ）に示すデジタルカメラから外装カバーを取り外した状態を示す斜視図である。
【図２】ストロボ回路基板を部品実装面側から見た斜視図である。
【図３】ストロボ回路基板とベース部材との関係を示す斜視図である。
【図４】ベース部材の正面図である。
【図５】ストロボユニットの正面図である。
【図６】（ａ）はソケットにコイン型２次電池が装着されている状態での図５のＡ−Ａ線断面図、（ｂ）はソケットにコイン型２次電池が装着されていない状態での図５のＡ−Ａ線断面図である。
【図７】本発明の電子機器の第２の実施形態であるデジタルカメラの要部を示す斜視図である。
【図８】図７の分解斜視図である。
【図９】電池収納ケースの上部の拡大斜視図である。
【図１０】ソケットにコイン型２次電池が装着されている状態での要部拡大斜視図である。
【図１１】ソケットにコイン型２次電池が装着されていない状態での要部拡大斜視図である。
【図１２】本発明の電子機器の第３の実施形態であるデジタルカメラにおけるストロボユニットの分解斜視図である。
【図１３】ベース部材の部分拡大斜視図である。
【図１４】（ａ）はソケットにコイン型２次電池が装着されている状態でのストロボユニットの正面図、（ｂ）は（ａ）の側面図である。
【図１５】（ａ）はソケットにコイン型２次電池が装着されていない状態でのストロボユニットの正面図、（ｂ）は（ａ）の側面図である。
【図１６】（ａ）は図１４（ａ）のＢ−Ｂ線断面図、（ｂ）は図１５（ａ）のＤ−Ｄ線断面図である。
【図１７】（ａ）は図１４（ｂ）のＣ−Ｃ線断面図、（ｂ）は図１５（ｂ）のＥ−Ｅ線断面図である。
【図１８】本発明の電子機器の第４の実施形態であるデジタルカメラにおけるストロボユニットの分解斜視図である。
【図１９】ベース部材の部分拡大斜視図である。
【図２０】（ａ）はソケットにコイン型２次電池が装着されている状態でのストロボユニットの正面図、（ｂ）は（ａ）の側面図である。
【図２１】（ａ）はソケットにコイン型２次電池が装着されていない状態でのストロボユニットの正面図、（ｂ）は（ａ）の側面図である。
【図２２】（ａ）は図２０（ａ）のＦ−Ｆ線断面図、（ｂ）は図２１（ａ）のＨ−Ｈ線断面図である。
【図２３】（ａ）は図２０（ｂ）のＧ−Ｇ線断面図、（ｂ）は図２１（ｂ）のＩ−Ｉ線断面図である。
【図２４】ソケットにコイン型２次電池に装着されていない状態での弾性腕部の突起とフロントカバーとの関係を示す斜視図である。
【発明を実施するための形態】
【００１３】
以下、本発明の実施形態を図面を参照して説明する。
【００１４】
（第１の実施形態）
図１（ａ）は本発明の電子機器の第１の実施形態であるデジタルカメラの外観斜視図、図１（ｂ）は図１（ａ）に示すデジタルカメラから外装カバーを取り外した状態を示す斜視図である。
【００１５】
図１に示すように、本実施形態のデジタルカメラ１は、フロントカバー２とリアカバー３とを有し、底面には電池蓋６が開閉可能に設けられている。電池蓋６を開けることで、主電源となる充電池４と撮影データを保存するメモリカード５の挿入・取り出しが可能となる。
【００１６】
デジタルカメラ１の正面部には、レンズ鏡筒７が設けられ、正面側から見てレンズ鏡筒７の左側には、信号処理基板８、および充電池４が収納される電池収納ケース９が設けられ、レンズ鏡筒７の右側には、ストロボユニット１０が設けられている。
【００１７】
ストロボユニット１０は、ストロボ回路基板１１、中継フレキシブル基板１２及び後述するベース部材１７（図３参照）を有する。中継フレキシブル基板１２の先端部１２ａ（図３参照）をコネクタ１４の接続口１４ａ（図２参照）に挿入することで、ストロボ回路基板１１が信号処理基板８と電気的に接続される。
【００１８】
図２は、ストロボ回路基板１１を部品実装面側から見た斜視図である。図２に示すように、ストロボ回路基板１１には、ストロボ用電源トランス１３、中継フレキシブル基板１２を接続するためのコネクタ１４、及びバックアップ用電源となるコイン型２次電池１５を着脱可能に保持するソケット１６が実装されている。ソケット１６は、本発明の電池装着部の一例に相当する。
【００１９】
コネクタ１４の側面には、中継フレキシブル基板１２の先端部１２ａを挿入するための接続口１４ａが設けられている。ソケット１６の底面及び内側面には、コイン型２次電池１５の正極と負極をそれぞれストロボ回路基板１１に電気的に接続するための不図示の電気接片が設けられている。また、ソケット１６には、コイン型２次電池１５を保持するための不図示の弾性爪が複数箇所設けられている。
【００２０】
図３はストロボ回路基板１１とベース部材１７との関係を示す斜視図、図４はベース部材１７の正面図である。
【００２１】
ベース部材１７は、モールド材料等で形成され、ベース部材１７の正面側にストロボ回路基板１１が配置される。ストロボ回路基板１１には、ビス穴１１ａ，１１ｂ、及び位置決め用穴１１ｃ，１１ｄが形成されており、ベース部材１７のストロボ回路基板１１のビス穴１１ａ，１１ｂに対向する位置には、ビス固定用のボス１７ａ，１７ｂが形成されている。
【００２２】
ベース部材１７のストロボ回路基板１１の位置決め用穴１１ｃ，１１ｄに対向する位置には、位置決め用ボス１７ｃ，１７ｄが形成されている。また、ベース部材１７には、ストロボ回路基板１１に実装されたストロボ用電源トランス１３が挿入される凹部１７ｅが設けられている。
【００２３】
このように、デジタルカメラ等の電子機器では、小型化のために部品高さのバラツキが多い電気実装部品をベース部材１７の方向に向け、実装部品の形状に合わせてベース部材１７に凹部を設けてスペース効率を上げる場合が多い。
【００２４】
また、ベース部材１７には、可撓性を有する弾性腕部１７ｈの基端部１７ｊ（図４の左端部）を支点に弾性変形可能に設けられている。弾性腕部１７ｈの中央部には、当接部の一例としてのボス１７ｇが突設され、ボス１７ｇは、ソケット１６に保持されたコイン型２次電池１５に対向する位置に配置される。また、弾性腕部１７ｈの先端部には、壁部１７ｆが設けられ、壁部１７ｆは、コネクタ１４の接続口１４ａを覆う位置に配置される。
【００２５】
ストロボ回路基板１１は、必要な部品が組み付けられたベース部材１７に組み付けられた後、ビス１８ａ，１８ｂにより固定される。
【００２６】
かかる固定状態においては、ストロボ回路基板１１に実装されたストロボ用電源トランス１３、コネクタ１４、及びコイン型２次電池１５を保持するソケット１６は、ストロボ回路基板１１とベース部材１７との間に挟まれた状態となる。これは、前述したように、ベース部材１７に設けた凹部を利用してストロボユニット１０をコンパクトに構成するためである。
【００２７】
ところで、このようにストロボユニット１０をコンパクトに構成しようとすると、ソケット１６に保持されたコイン型２次電池１５がストロボ回路基板１１の内面側に配置されるため、カメラの正面側からコイン型２次電池１５の有無を目視にて確認できなくなる。また、ベース部材１７にストロボ回路基板１１を組み付けた後に、ソケット１６にコイン型２次電池１５を装着できなくなる。そこで、本実施形態では、次のようにしてこれらの問題を解消している。
【００２８】
図５は、ストロボユニット１０の正面図であり、ベース部材１７にストロボ回路基板１１を組み付けた状態を示している。図６（ａ）はソケット１６にコイン型２次電池１５が装着されている状態での図５のＡ−Ａ線断面図、図６（ｂ）はソケット１６にコイン型２次電池１５が装着されていない状態での図５のＡ−Ａ線断面図である。
【００２９】
図６（ａ）に示すように、ソケット１６にコイン型２次電池１５が装着された状態では、コイン型２次電池１５に対向する位置に配置されたボス１７ｇがコイン型２次電池１５に押される。
【００３０】
これにより、弾性腕部１７ｈが基端部１７ｊを支点にストロボ回路基板１１から離れる方向に撓み、弾性腕部１７ｈの先端部の壁部１７ｆがコネクタ１４の接続口１４ａを覆う位置から退避する。
【００３１】
従って、ストロボ回路基板１１をベース部材１７に組み付けた後、中継フレキシブル基板１２の先端部１２ａをコネクタ１４の接続口１４ａに挿入することで、ストロボ回路基板１１が信号処理基板８と電気的に接続される。
【００３２】
一方、図６（ｂ）に示すように、ソケット１６にコイン型２次電池１５が装着されていない状態では、弾性腕部１７ｈのボス１７ｇがソケット１６の電池収納空間１６ａに挿入される。
【００３３】
この状態では、弾性腕部１７ｈは撓むことなく、弾性腕部１７ｈの先端部の壁部１７ｆがコネクタ１４の接続口１４ａを覆う位置に配置される。このため、中継フレキシブル基板１２の先端部１２ａをコネクタ１４の接続口１４ａに挿入することができなくなる。
【００３４】
ここで、作業者は、ストロボ回路基板１１のソケット１６にコイン型２次電池１５を装着していなかったことに気づき、ベース部材１７からストロボ回路基板１１を外してソケット１６にコイン型２次電池１５を装着することになる。そして、再度ストロボ回路基板１１をベース部材１７に組み付ける。
【００３５】
この状態では、図６（ａ）と同様に、弾性腕部１７ｈの先端部の壁部１７ｆがコネクタ１４の接続口１４ａを覆う位置から退避する。従って、再度ストロボ回路基板１１をベース部材１７に組み付けた後、中継フレキシブル基板１２の先端部１２ａをコネクタ１４の接続口１４ａに挿入することで、ストロボ回路基板１１が信号処理基板８と電気的に接続される。
【００３６】
以上説明したように、本実施形態では、コイン型２次電池１５が装着されてない状態でストロボ回路基板１１をベース部材１７に組み込むと、壁部１７ｆがコネクタ１４の接続口１４ａを覆って中継フレキシブル基板１２をコネクタ１４に接続できなくなる。これにより、デジタルカメラのコストアップを招くことなく、組立工程でコイン型２次電池１５が装着されていないことを作業者が容易に把握することができ、作業者がコイン型２次電池１５を装着し忘れたままで組立を続けることを防止することができる。
【００３７】
また、コイン型２次電池１５が装着されている状態では、弾性腕部１７ｈが撓むことで、ボス１７ｇがコイン型２次電池１５に対してソケット１６底面の電気接片に押し付ける力を加える。これにより、コイン型２次電池１５とソケット１６底面の電気接片の接触が確実になる。
【００３８】
（第２の実施形態）
次に、図７〜図１１を参照して、本発明の電子機器の第２の実施形態であるデジタルカメラについて説明する。なお、デジタルカメラの基本構造は、上記第１の実施形態と同様である。図７は本発明の電子機器の第２の実施形態であるデジタルカメラの要部を示す斜視図、図８は図７の分解斜視図である。
【００３９】
図７及び図８に示すように、本実施形態では、カメラの主電源となる充電池４を収納する電池収納ケース９が、信号処理基板８とともに金属シャーシ１０２に固定される。ここで、請求項３に係る発明において、電池収納ケース９は、ベース部材の一例に相当し、信号処理基板８は、組付部材の一例に相当する。
【００４０】
フレキシブル基板１０３は、ＵＳＢコネクタ１０４を有し、予め電池収納ケース９の上面に取り付けられる。また、フレキシブル基板１０３には、バックアップ用電源となるコイン型２次電池１５を着脱可能に保持するソケット１６が設けられている。ソケット１６は、底面と内側面に電気接片を有し、コイン型２次電池１５の正極と負極をそれぞれフレキシブル基板１０３に電気的に接続する。
【００４１】
信号処理基板８には、コネクタ８ａが実装されており、フレキシブル基板１０３の先端部１０３ａをコネクタ８ａに接続することで、信号処理基板８とフレキシブル基板１０３とが電気的に接続される。
【００４２】
信号処理基板８には、ビス１０５を介して金属シャーシ１０２のビス座１０２ａに締結するためのビス穴８ｂが設けられ、また、電池収納ケース９の位置決めボス１０１ａに対応する位置に位置決め穴８ｃが設けられている。
【００４３】
図９は、電池収納ケース９の上部の拡大斜視図である。図９に示すように、電池収納ケース９には、可撓性を有する弾性腕部１０１ｂが設けられている。
【００４４】
弾性腕部１０１ｂは、その幅方向を電池収納ケース９に対する信号処理基板８の組み付け方向に向けて配置され、先端部には、弾性腕部１０１ｂの幅方向に延びる当接壁部１０１ｃがソケット１６に装着されたコイン型２次電池１５の上面に対向して設けられる。また、当接壁部１０１ｃの信号処理基板８側の側面１０１ｄは、電池収納ケース９に組み付けられた信号処理基板８より弾性腕部１０１ｂの幅方向外側に突出している。
【００４５】
図１０はソケット１６にコイン型２次電池１５が装着されている状態での要部拡大斜視図、図１１はソケット１６にコイン型２次電池１５が装着されていない状態での要部拡大斜視図である。
【００４６】
図１０に示すように、ソケット１６にコイン型２次電池１５が装着された状態では、コイン型２次電池１５に対向する位置に配置された当接壁部１０１ｃがコイン型２次電池１５に当接するとともに、押される。
【００４７】
これにより、弾性腕部１０１ｂが基端部を支点に上方に撓み、当接壁部１０１ｃの側面１０１ｄが電池収納ケース９に組み付けられる信号処理基板８に干渉しない位置に退避する。
【００４８】
従って、電池収納ケース９の位置決め用ボス１０１ａに信号処理基板８の位置決め穴８ｃを組み付けた後、フレキシブル基板１０３をコネクタ８ａに接続することで、信号処理基板８とフレキシブル基板１０３とが電気的に接続される。
【００４９】
一方、図１１に示すように、ソケット１６にコイン型２次電池１５が装着されていない状態では、弾性腕部１０１ｂの当接壁部１０１ｃがソケット１６の周壁に形成された切欠き部１６ｂを介してソケット１６の電池収納空間１６ａに挿入される。
【００５０】
この状態では、弾性腕部１０１ｂは撓むことなく、当接壁部１０１ｃの側面１０１ｄが電池収納ケース９に組み付けられる信号処理基板８に干渉する位置に配置される。このため、電池収納ケース９の位置決め用ボス１０１ａに信号処理基板８の位置決め穴８ｃを組み付けることができなくなる。また、この状態では、フレキシブル基板１０３をコネクタ８ａに接続しようとしても、フレキシブル基板１０３の長さが足りなくなる。
【００５１】
ここで、作業者は、電池収納ケース９のソケット１６にコイン型２次電池１５を装着していなかったことに気づき、ソケット１６にコイン型２次電池１５を装着してから電池収納ケース９の位置決め用ボス１０１ａに信号処理基板８の位置決め穴８ｃを組み付ける。
【００５２】
この状態では、図１０と同様に、弾性腕部１０１ｂが基端部を支点に上方に撓み、当接壁部１０１ｃの側面１０１ｄが電池収納ケース９に組み付けられる信号処理基板８に干渉しない位置に退避する。このため、フレキシブル基板１０３をコネクタ８ａに接続することができ、これにより、信号処理基板８とフレキシブル基板１０３とが電気的に接続される。
【００５３】
以上説明したように、本実施形態では、コイン型２次電池１５が装着されてない状態では、信号処理基板８を電池収納ケース９に組み込む作業、及びフレキシブル基板１０３をコネクタ８ａに接続する作業ができなくなる。これにより、デジタルカメラのコストアップを招くことなく、組立工程でコイン型２次電池１５が装着されていないことを作業者が容易に把握することができ、作業者がコイン型２次電池１５を装着し忘れたままで組立を続けることを防止することができる。
【００５４】
また、コイン型２次電池１５が装着されている状態では、弾性腕部１０１ｂが撓むことで、当接壁部１０１ｃがコイン型２次電池１５に対してソケット１６底面の電気接片に押し付ける力を加える。これにより、コイン型２次電池１５とソケット１６底面の電気接片の接触が確実になる。
【００５５】
（第３の実施形態）
次に、図１２〜図１７を参照して、本発明の電子機器の第３の実施形態であるデジタルカメラについて説明する。なお、本実施形態では、上記第１の実施形態のストロボユニット１０に代えてストロボユニット１０Ａを用いる点を除いて、上記第１の実施形態と同様であるため、相違点についてのみ説明する。
【００５６】
図１２は、ストロボユニット１０Ａの分解斜視図である。ストロボユニット１０Ａは、モールド材料等からなるベース部材２０３に必要な部品を組み付けた後、ベース部材２０３にストロボ回路基板２０２を組み付けてビス２０４により固定される。
【００５７】
かかる固定状態においては、ストロボ回路基板２０２に設けられたソケット１６は、コイン型２次電池１５を保持した状態でストロボ回路基板２０２とベース部材２０３との間に挟まれた状態となる。
【００５８】
ソケット１６の底面及び内側面には、コイン型２次電池１５の正極と負極をそれぞれストロボ回路基板２０２に電気的に接続するための不図示の電気接片が設けられている。また、ソケット１６には、コイン型２次電池１５を保持するための不図示の弾性爪が複数箇所設けられている。
【００５９】
また、ストロボ回路基板２０２には、ビス２０４の固定用穴２０２ａ，２０２ｂが形成され、ベース部材２０３には、ビス２０４の固定用ボス２０３ａ，２０３ｂが固定用穴２０２ａ，２０２ｂに対応して設けられている。固定用ボス２０３ａ，２０３ｂには、ビス２０４のねじ部が締め付けられるねじ穴が形成されている。
【００６０】
図１３は、ベース部材２０３の部分拡大斜視図である。図１３に示すように、ベース部材２０３には、可撓性を有する弾性腕部２０３ｅが設けられている。
【００６１】
弾性腕部２０３ｅの中央部には、ソケット１６にコイン型２次電池１５に装着されていない状態でソケット１６の周壁に形成された切欠き部１６ｃ（図１７参照）を介してソケット１６の電池収納空間１６ａに挿入される当接部２０３ｄが設けられている。ソケット１６にコイン型２次電池１５に装着された状態では、当接部２０３ｄは、コイン型２次電池１５の外周部に押されて、ソケット１６の外側に向けて撓むことになる。
【００６２】
また、弾性腕部２０３ｅの先端部には、壁部２０３ｃが設けられている。壁部２０３ｃは、当接部２０３ｄがソケット１６の電池収納空間１６ａに挿入された状態で、固定用ボス２０３ａのねじ穴を覆う位置に配置される。
【００６３】
また、壁部２０３ｃは、当接部２０３ｄがソケット１６に装着されたコイン型２次電池１５に当接するとともに、押されて弾性腕部２０３ｅが撓んだ状態では、固定用ボス２０３ａのねじ穴から退避するようになっている。
【００６４】
図１４（ａ）はソケット１６にコイン型２次電池１５が装着されている状態でのストロボユニット１０Ａの正面図、図１４（ｂ）は図１４（ａ）の側面図である。図１５（ａ）はソケット１６にコイン型２次電池１５が装着されていない状態でのストロボユニット１０Ａの正面図、図１５（ｂ）は図１５（ａ）の側面図である。
【００６５】
図１６（ａ）は図１４（ａ）のＢ−Ｂ線断面図、図１６（ｂ）は図１５（ａ）のＤ−Ｄ線断面図である。図１７（ａ）は図１４（ｂ）のＣ−Ｃ線断面図、図１７（ｂ）は図１５（ｂ）のＥ−Ｅ線断面図である。
【００６６】
図１４に示すように、ソケット１６にコイン型２次電池１５が装着された状態では、図１６（ａ）及び図１７（ａ）に示すように、弾性腕部２０３ｅの当接部２０３ｄがコイン型２次電池１５の外周部に当接するとともに、押されて、ソケット１６の外側に向けて撓む。このとき、壁部２０３ｃは、固定用ボス２０３ａのねじ穴から退避している。
【００６７】
従って、ストロボ回路基板２０２の固定用穴２０２ａに挿入したビス２０４をベース部材２０３の固定用ボス２０３ａのねじ穴に締め付けることで、ストロボ回路基板２０２をベース部材２０３に固定することができる。
【００６８】
一方、図１５に示すように、ソケット１６にコイン型２次電池１５が装着されていない状態では、図１６（ｂ）及び図１７（ｂ）に示すように、弾性腕部２０３ｅの当接部２０３ｄが切欠き部１６ｃを介してソケット１６の電池収納空間１６ａに挿入される。
【００６９】
この状態では、弾性腕部２０３ｅは撓むことなく、壁部２０３ｃが固定用ボス２０３ａのねじ穴を覆う位置に配置される。このため、ストロボ回路基板２０２の固定用穴２０２ａに挿入したビス２０４をベース部材２０３の固定用ボス２０３ａのねじ穴に締め付けることができなくなる。
【００７０】
ここで、作業者は、ソケット１６にコイン型２次電池１５を装着していなかったことに気づき、ストロボ回路基板２０２を外してソケット１６にコイン型２次電池１５を装着してから再度ストロボ回路基板２０２をベース部材２０３に組み付ける。
【００７１】
この状態では、図１４と同様に、弾性腕部２０３ｅがソケット１６の外側に向けて撓んで壁部２０３ｃが固定用ボス２０３ａのねじ穴を覆う位置から退避する。このため、ストロボ回路基板２０２の固定用穴２０２ａに挿入したビス２０４をベース部材２０３の固定用ボス２０３ａのねじ穴に締め付けて、ストロボ回路基板２０２をベース部材２０３に固定することが可能となる。
【００７２】
以上説明したように、本実施形態では、コイン型２次電池１５が装着されてない状態では、ストロボ回路基板２０２の固定用穴２０２ａに挿入したビス２０４をベース部材２０３の固定用ボス２０３ａのねじ穴に締め付けることができなくなる。これにより、デジタルカメラのコストアップを招くことなく、組立工程でコイン型２次電池１５が装着されていないことを作業者が容易に把握することができ、作業者がコイン型２次電池１５を装着し忘れたままで組立を続けることを防止することができる。
【００７３】
また、コイン型２次電池１５が装着されている状態では、弾性腕部２０３ｅが撓むことで、当接部２０３ｄがコイン型２次電池１５に対してソケット１６内側面の電気接片に押し付ける力を加える。これにより、コイン型２次電池１５とソケット１６内側面の電気接片の接触が確実になる。
【００７４】
（第４の実施形態）
次に、図１８〜図２４を参照して、本発明の電子機器の第４の実施形態であるデジタルカメラについて説明する。なお、本実施形態では、上記第１の実施形態のストロボユニット１０に代えてストロボユニット１０Ｂを用いる点を除いて、上記第１の実施形態と同様であるため、相違点についてのみ説明する。
【００７５】
図１８は、ストロボユニット１０Ｂの分解斜視図である。ストロボユニット１０Ｂは、モールド材料等からなるベース部材３０３に必要な部品を組み付けた後、ベース部材３０３にストロボ回路基板３０２を組み付けてビス３０４により固定される。
【００７６】
かかる固定状態においては、ストロボ回路基板３０２に設けられたソケット１６は、コイン型２次電池１５を保持した状態でストロボ回路基板３０２とベース部材３０３との間に挟まれた状態となる。
【００７７】
ソケット１６の底面及び内側面には、コイン型２次電池１５の正極と負極をそれぞれストロボ回路基板２０２に電気的に接続するための不図示の電気接片が設けられている。また、ソケット１６には、コイン型２次電池１５を保持するための不図示の弾性爪が複数箇所設けられている。
【００７８】
図１９は、ベース部材３０３の部分拡大斜視図である。図１９に示すように、ベース部材３０３には、可撓性を有する弾性腕部３０３ａが設けられている。
【００７９】
弾性腕部３０３ａは、ベース部材３０３に片持ち支持される第１の腕部３０３ａ１と、第１の腕部３０３ａ１の先端部から第１の腕部３０３ａ１に対して直交する方向に延び、先端部に当接部３０３ｂが設けられる第２の腕部３０３ａ２とを有する。また、第２の腕部３０３ａ２の基端部には、突起３０３ｃが設けられている。
【００８０】
第２の腕部３０３ａ２は、ソケット１６の略中央部を横切るように配置される。当接部３０３ｂは、ソケット１６にコイン型２次電池１５に装着されていない状態では、ソケット１６の周壁に形成された切欠き部１６ｃ（図２３参照）を介してソケット１６の電池収納空間１６ａに配置される。
【００８１】
また、突起３０３ｃは、ソケット１６にコイン型２次電池１５に装着されていない状態では、図２４に示すように、ベース部材３０３にフロントカバー２（図１（ａ）参照）を組み付ける際に、フロントカバー２の一部が干渉する位置に配置される。
【００８２】
図２０（ａ）はソケット１６にコイン型２次電池１５が装着されている状態でのストロボユニット１０Ｂの正面図、図２０（ｂ）は図２０（ａ）の側面図である。図２１（ａ）はソケット１６にコイン型２次電池１５が装着されていない状態でのストロボユニット１０Ｂの正面図、図２１（ｂ）は図２１（ａ）の側面図である。
【００８３】
図２２（ａ）は図２０（ａ）のＦ−Ｆ線断面図、図２２（ｂ）は図２１（ａ）のＨ−Ｈ線断面図である。図２３（ａ）は図２０（ｂ）のＧ−Ｇ線断面図、図２３（ｂ）は図２１（ｂ）のＩ−Ｉ線断面図である。
【００８４】
ソケット１６にコイン型２次電池１５が装着された図２０の状態では、図２２（ａ）及び図２３（ａ）に示すように、当接部３０３ｂがコイン型２次電池１５の外周部に当接するとともに、押されて、第１の腕部３０３ａ１が撓む。これにより、当接部３０３ｂがソケット１６の外側に向けて移動する。
【００８５】
このとき、突起３０３ｃは、フロントカバー２の組み付けの際にフロントカバー２の一部が干渉しない位置に退避しており、従って、ベース部材３０３へのフロントカバー２の組み付けが可能となる。
【００８６】
一方、図２１に示すように、ソケット１６にコイン型２次電池１５が装着されていない状態では、図２２（ｂ）及び図２３（ｂ）に示すように、弾性腕部３０３ａの当接部３０３ｂが切欠き部１６ｃを介してソケット１６の電池収納空間１６ａに挿入される。
【００８７】
この状態では、弾性腕部３０３ａの第１の腕部３０３ａ１は撓むことなく、突起３０３ｃは、フロントカバー２の組み付けの際にフロントカバー２の一部が干渉する位置に配置され、従って、ベース部材３０３にフロントカバー２を組み付けることができなくなる。
【００８８】
ここで、作業者は、ソケット１６にコイン型２次電池１５を装着していなかったことに気づき、ストロボ回路基板３０２を外してソケット１６にコイン型２次電池１５を装着してから、再度ストロボ回路基板３０２をベース部材３０３に組み付けることになる。
【００８９】
この状態では、図２０と同様に、弾性腕部３０３ａの突起３０３ｃは、フロントカバー２の組み付けの際にフロントカバー２の一部が干渉しない位置に退避しており、従って、ベース部材３０３へのフロントカバー２の組み付けが可能となる。
【００９０】
以上説明したように、本実施形態では、コイン型２次電池１５が装着されてない状態では、ベース部材３０３へのフロントカバー２の組み付けができなくなる。これにより、デジタルカメラのコストアップを招くことなく、組立工程でコイン型２次電池１５が装着されていないことを作業者が容易に把握することができ、作業者がコイン型２次電池１５を装着し忘れたままで組立を続けることを防止することができる。
【００９１】
また、コイン型２次電池１５が装着されている状態では、弾性腕部３０３ａの第１の腕部３０３ａ１が撓むことで、当接部３０３ｂがコイン型２次電池１５に対してソケット１６内側面の電気接片に押し付ける力を加える。これにより、コイン型２次電池１５とソケット１６内側面の電気接片の接触が確実になる。
【００９２】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００９３】
８  信号処理基板
１１  ストロボ回路基板
１２  中継フレキシブル基板
１４  コネクタ
１５  コイン型２次電池
１６  ソケット
１７  ベース部材
１７ｈ  弾性腕部
１７ｇ  ボス
１７ｆ  壁部
【図１】
2013130624.tif 000003
【図２】
2013130624.tif 000004
【図３】
2013130624.tif 000005
【図４】
2013130624.tif 000006
【図５】
2013130624.tif 000007
【図６】
2013130624.tif 000008
【図７】
2013130624.tif 000009
【図８】
2013130624.tif 000010
【図９】
2013130624.tif 000011
【図１０】
2013130624.tif 000012
【図１１】
2013130624.tif 000013
【図１２】
2013130624.tif 000014
【図１３】
2013130624.tif 000015
【図１４】
2013130624.tif 000016
【図１５】
2013130624.tif 000017
【図１６】
2013130624.tif 000018
【図１７】
2013130624.tif 000019
【図１８】
2013130624.tif 000020
【図１９】
2013130624.tif 000021
【図２０】
2013130624.tif 000022
【図２１】
2013130624.tif 000023
【図２２】
2013130624.tif 000024
【図２３】
2013130624.tif 000025
【図２４】
2013130624.tif 000026